(57)【要約】【課題】絶縁カバーの装着性を向上できる蓄電装置を提供すること。【解決手段】二次電池１０の絶縁カバー３５は、タブ絶縁部３６から突出し、蓋部材１５と電極接合部２８ａの間に介在する第１板部３７と、第１板部３７よりも電極組立体１２寄りに位置し、タブ絶縁部３６から突出し、端子接合部２８ｂと電極組立体１２との間に介在する第２板部３８と、を備える。絶縁カバー３５は、積層方向他端側において端子接合部２８ｂに係止する係止爪４０を有する。二次電池１０は、係止爪４０と端子接合部２８ｂの係止箇所Ｋよりも積層方向一端側に位置する端子接合部２８ｂに凹部４１を備える。【選択図】図２
2019121434.tif 000002
【特許請求の範囲】
【請求項１】
正極と負極の電極が絶縁された状態で積層され、かつ各極の前記電極から突出したタブが同じ極性同士で積層されたタブ群を有する電極組立体と、
前記電極組立体を収容するケース部材、及び前記ケース部材の開口部を閉塞する板状の蓋部材を有するケースと、
前記蓋部材に固定され、前記電極組立体と電気を授受する各極の電極端子と、
前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、
前記端子接合部と前記蓋部材とを絶縁する絶縁部材と、
前記タブ群と前記ケース部材とを絶縁する絶縁カバーと、
を備える蓄電装置であって、
前記絶縁カバーは、前記電極組立体における前記電極の積層方向一端側において前記タブ群と前記ケース部材との間に介在する板状のタブ絶縁部と、
前記積層方向に沿って前記タブ絶縁部から突出し、前記蓋部材と前記電極接合部の間に介在する第１板部と、
前記第１板部よりも前記電極組立体寄りに位置し、前記積層方向に沿って前記タブ絶縁部から突出し、前記端子接合部と前記電極組立体との間に介在する第２板部と、
前記積層方向他端側において前記導電部材又は前記絶縁部材の被係止部に係止する係止爪と、を有し、
前記係止爪と前記被係止部の係止箇所よりも積層方向一端側に位置する前記導電部材及び前記絶縁部材の少なくとも一つに、前記蓋部材と前記電極接合部の間に前記第１板部を差し込む際に前記係止爪が入り込む凹部を備えることを特徴とする蓄電装置。
【請求項２】
前記凹部は前記導電部材に形成され、前記凹部は、前記積層方向に沿った前記導電部材の中間位置よりも前記積層方向一端側に設けられている請求項１に記載の蓄電装置。
【請求項３】
前記係止爪及び前記凹部の少なくとも一方は、前記積層方向一端側から他端側に向けて下降する傾斜面を備える請求項１又は請求項２に記載の蓄電装置。
【発明の詳細な説明】
【技術分野】
【０００１】
本発明は、タブ群とケース部材とを絶縁する絶縁カバーを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。
【０００３】
二次電池は、シート状の正極及び負極の電極が絶縁された状態で積層された電極組立体と、電極組立体を収容するケースとを備える。電極組立体は、電極の一辺の一部から突出したタブを同じ極性同士で寄せ集めたタブ群を有する。ケースは、有底筒状のケース部材と、ケース部材の開口部を閉塞する蓋部材とを有する。二次電池は、電極組立体と電気を授受する電極端子を備えるとともに、電極端子と蓋部材とを絶縁する絶縁部材を備える。なお、電極端子は、蓋部材に固定されている。二次電池は、電極端子と電極組立体のタブ群とを接続する導電部材を備えている。
【０００４】
上記のような二次電池の製造方法の一つに、蓋部材に電極端子を固定するとともに、電極端子とタブ群に導電部材を接合し、電極組立体、蓋部材、電極端子、導電部材、及びタブ群を組立部材として一体化した後、組立部材に絶縁カバーを装着する方法がある（例えば特許文献１参照）。
【０００５】
特許文献１において、二次電池が備える絶縁カバーは、蓋部材と導電部材との間を絶縁する第１絶縁部と、電極端子と電極組立体との間を絶縁する第２絶縁部とを備える。また、絶縁カバーは、第２絶縁部に係止爪を備え、この係止爪は導電部材又は絶縁部材に係止している。
【０００６】
上記絶縁カバーは、組立部材の製造後に組立部材に装着される。絶縁カバーを組立部材に装着するには、電極組立体の積層方向一端側から他端側に向けて絶縁カバーを移動させ、第１絶縁部を蓋部材と導電部材との間に差し込むとともに、第２絶縁部を電極端子と電極組立体の端面との間に差し込む。そして、係止爪を、積層方向の他端側まで移動させ、積層方向他端側における導電部材又は絶縁部材の側面に係止させることで、絶縁カバーが積層方向一端側へ移動することを規制し、組立部材から絶縁カバーが抜け出ることが抑制される。
【先行技術文献】
【特許文献】
【０００７】
【特許文献１】特開２０１７−１１７６６７号公報
【発明の概要】
【発明が解決しようとする課題】
【０００８】
ところで、特許文献１に開示の絶縁カバーにおいては、絶縁カバーを積層方向一端側から他端側へ移動させると、係止爪と、積層方向一端側における絶縁部材の側面とが干渉し、絶縁カバーの装着が行いにくい。そこで、絶縁部材と係止爪との干渉を避けるため、第１絶縁部及び第２絶縁部の先端が下を向くように傾け、係止爪を絶縁部材の下側に位置させることが考えられるが、この場合には、第１絶縁部の先端が導電部材と蓋部材との間の隙間より下方に位置し、第１絶縁部を隙間に差し込みにくくなって絶縁カバーの装着が行いにくい。
【０００９】
本発明の目的は、絶縁カバーの装着性を向上できる蓄電装置を提供することにある。
【課題を解決するための手段】
【００１０】
上記問題点を解決するための蓄電装置は、正極と負極の電極が絶縁された状態で積層され、かつ各極の前記電極から突出したタブが同じ極性同士で積層されたタブ群を有する電極組立体と、前記電極組立体を収容するケース部材、及び前記ケース部材の開口部を閉塞する板状の蓋部材を有するケースと、前記蓋部材に固定され、前記電極組立体と電気を授受する各極の電極端子と、前記蓋部材の内面と、前記タブ群が存在する前記電極組立体のタブ側端面との間に配置され、同じ極性の前記タブ群と接合された電極接合部を備えるとともに、同じ極性の前記電極端子と接合された端子接合部を備える各極性の導電部材と、前記端子接合部と前記蓋部材とを絶縁する絶縁部材と、前記タブ群と前記ケース部材とを絶縁する絶縁カバーと、を備える蓄電装置であって、前記絶縁カバーは、前記電極組立体における前記電極の積層方向一端側において前記タブ群と前記ケース部材との間に介在する板状のタブ絶縁部と、前記積層方向に沿って前記タブ絶縁部から突出し、前記蓋部材と前記電極接合部の間に介在する第１板部と、前記第１板部よりも前記電極組立体寄りに位置し、前記積層方向に沿って前記タブ絶縁部から突出し、前記端子接合部と前記電極組立体との間に介在する第２板部と、前記積層方向他端側において前記導電部材又は前記絶縁部材の被係止部に係止する係止爪と、を有し、前記係止爪と前記被係止部の係止箇所よりも積層方向一端側に位置する前記導電部材及び前記絶縁部材の少なくとも一つに、前記蓋部材と前記電極接合部の間に前記第１板部を差し込む際に前記係止爪が入り込む凹部を備えることを要旨とする。
【００１１】
これによれば、蓋部材、導電部材、絶縁部材、及び電極端子を一体に組み付けるとともに、電極接合部にタブ群を接合した状態で、絶縁カバーを電極組立体の積層方向一端側から他端側に向けてスライド移動させて、絶縁カバーが装着される。絶縁カバーをスライド移動させた時、凹部に係止爪が入り込む。このため、電極接合部と蓋部材との間に第１板部が入り込むまで、係止爪が導電部材又は絶縁部材に干渉しない。よって、絶縁カバーのスライド移動時に係止爪との干渉を回避するために絶縁カバーを傾ける必要がなく、絶縁カバーを傾けることで、電極接合部と蓋部材との間に第１板部を差し込むことができなくなることもない。その結果、絶縁カバーを傾けることなくスライド移動させるだけで、絶縁カバーを装着できる。
【００１２】
また、蓄電装置について、前記凹部は前記導電部材に形成され、前記凹部は、前記積層方向に沿った前記導電部材の中間位置よりも前記積層方向一端側に設けられていてもよい。
【００１３】
これによれば、凹部は、導電部材を切削して形成されるが、凹部の寸法を規定することで、導電部材の切削量を抑えて、導電部材における電気的な抵抗が増大することを抑制する。
【００１４】
また、蓄電装置について、前記係止爪及び前記凹部の少なくとも一方は、前記積層方向一端側から他端側に向けて下降する傾斜面を備えていてもよい。
【００１５】
これによれば、傾斜面を設けることで、絶縁カバーを装着する際、係止爪と凹部の内面のいずれか一方の傾斜面に他方が摺接する。傾斜面により、第２板部を徐々に撓ませることができ、第２板部が損傷することを抑制できる。
【発明の効果】
【００１６】
本発明によれば、絶縁カバーの装着性を向上できる。
【図面の簡単な説明】
【００１７】
【図１】実施形態の二次電池を示す分解斜視図。
【図２】実施形態の二次電池を示す部分側断面図。
【図３】実施形態の二次電池を示す部分正面図。
【図４】実施形態の二次電池を示す部分斜視図。
【図５】実施形態の内側絶縁部材及び導電部材を示す部分斜視図。
【図６】絶縁カバーを蓋端子組立体に装着する状態を示す側断面図。
【図７】絶縁カバーを蓋端子組立体に装着する状態を示す側断面図。
【図８】凹部の別例を示す側断面図。
【図９】凹部の別例を示す側断面図。
【発明を実施するための形態】
【００１８】
以下、蓄電装置を二次電池に具体化した一実施形態を図１〜図７にしたがって説明する。
【００１９】
図１又は図２に示すように、蓄電装置としての二次電池１０はケース１１を備え、ケース１１には電極組立体１２が収容されている。ケース１１は、電極組立体１２を収容する四角箱状のケース部材１４と、このケース部材１４の開口部１４ａを閉塞する矩形平板状の蓋部材１５とを有している。なお、本実施形態の二次電池１０はリチウムイオン電池である。蓋部材１５は、ケース部材１４の開口部１４ａの周縁に支持される矩形平板状の天板１５ａと、天板１５ａからケース部材１４に向けて突出する矩形状の嵌合部１５ｂとを有する。嵌合部１５ｂは、ケース部材１４の開口部１４ａに嵌合される。そして、天板１５ａの周縁とケース部材１４における開口部１４ａの周縁とが溶接されてケース部材１４と蓋部材１５が一体化されている。
【００２０】
図２に示すように、電極組立体１２は、シート状の複数の正極電極２１とシート状の複数の負極電極２２とを備え、正極電極２１と負極電極２２とは異なる極性の電極である。詳細に図示しないが、正極電極２１は、正極金属箔（本実施形態ではアルミニウム箔）と、その正極金属箔の両面に存在する正極活物質層とを有する。負極電極２２は、負極金属箔（本実施形態では銅箔）と、その負極金属箔の両面に存在する負極活物質層とを有する。そして、電極組立体１２は、複数の正極電極２１と複数の負極電極２２の間にこれらを絶縁するセパレータ２３を介在させて積層された積層型である。正極電極２１と負極電極２２が積層された方向を電極組立体１２の積層方向とする。
【００２１】
正極電極２１は、正極電極２１の一辺２１ａの一部から突出した形状のタブ２５を有する。負極電極２２は、負極電極２２の一辺２２ａの一部から突出した形状のタブ２６を有する。複数の正極のタブ２５、及び複数の負極のタブ２６は、正極電極２１及び負極電極２２が積層された状態で、正極のタブ２５と負極のタブ２６とが重ならない位置にそれぞれ設けられている。
【００２２】
電極組立体１２は、タブ側端面１２ａを備える。タブ側端面１２ａは、正極電極２１の一辺２１ａ、負極電極２２の一辺２２ａ、及びセパレータ２３の一辺を寄せ集めて形成されている。電極組立体１２を構成する各正極電極２１は、それぞれのタブ２５が積層方向に沿って列状に配置されるように積層される。同様に、電極組立体１２を構成する各負極電極２２は、それぞれのタブ２６が積層方向に沿って列状に配置されるように積層される。
【００２３】
図１に示すように、電極組立体１２は、タブ側端面１２ａから突出した正極のタブ２５が積層されたタブ群２７を有し、このタブ群２７は、全ての正極のタブ２５を電極組立体
１２における積層方向に寄せ集め、積層して構成されている。また、電極組立体１２は、タブ側端面１２ａから突出した負極のタブ２６が積層されたタブ群２７を有し、このタブ群２７は、全ての負極のタブ２６を積層して構成されている。各極のタブ群２７は、積層方向一端側に各タブ２５，２６の先端が位置するように折り曲げられている。電極組立体１２及びタブ群２７は、絶縁フィルムＦによって覆われている。絶縁フィルムＦは、正極及び負極のタブ群２７を積層方向両側から覆っている。
【００２４】
図３、図４及び図５に示すように、正極のタブ群２７には、電極組立体１２と、後述の正極端子構造１６とを電気的に接続するための導電部材２８が接合されている。また、負極のタブ群２７には、電極組立体１２と、後述の負極端子構造１７とを電気的に接続するための導電部材２８が接合されている。導電部材２８は、蓋部材１５の内面と、電極組立体１２のタブ側端面１２ａとの間に配置されている。
【００２５】
正極及び負極の導電部材２８の長手は、蓋部材１５の長手方向へ延びるクランク状であり、各極性の導電部材２８の短手は、電極組立体１２の積層方向へ延びる。正極及び負極の導電部材２８は、同じ極性のタブ群２７と接合された電極接合部２８ａを長手方向一端側に備える。また、正極及び負極の導電部材２８は、同じ極性の引出端子２９と接続される平板状の端子接合部２８ｂを長手方向他端側に備えるとともに、電極接合部２８ａと端子接合部２８ｂを繋ぐ連繋部２８ｃを備える。連繋部２８ｃにより、端子接合部２８ｂは、電極接合部２８ａよりも電極組立体１２寄りに位置している。導電部材２８の短手方向に沿った電極接合部２８ａ、端子接合部２８ｂ及び連繋部２８ｃの寸法はいずれも同じである。なお、導電部材２８は、蓋部材１５の内面と、電極組立体１２のタブ側端面１２ａとの間に配置されている。
【００２６】
次に、正極端子構造１６及び負極端子構造１７を説明する。なお、正極端子構造１６と負極端子構造１７は基本的に同じ構成であるため、共通の部材については、同じ部材番号を使用して説明する。
【００２７】
正極端子構造１６及び負極端子構造１７は、それぞれ蓋部材１５に固定された電極端子としての引出端子２９を備える。引出端子２９は、各極において導電部材２８の端子接合部２８ｂと電気的に接続され、電極組立体１２と電気を授受する。引出端子２９は、蓋部材１５より外側に突出している。正極端子構造１６及び負極端子構造１７は、蓋部材１５の外側で引出端子２９と電気的に接続された端子接合部材３０を備える。正極端子構造１６及び負極端子構造１７は、蓋部材１５の外側で、端子接合部材３０と電気的に接続された外部接続端子３１を備える。正極端子構造１６及び負極端子構造１７は、端子接合部材３０及び外部接続端子３１を蓋部材１５から絶縁する外側絶縁部材３２を蓋部材１５の外面に備える。
【００２８】
正極端子構造１６及び負極端子構造１７は、ケース１１の内側で引出端子２９及び端子接合部２８ｂを蓋部材１５から絶縁する絶縁部材としての内側絶縁部材３３を備える。内側絶縁部材３３は矩形板状である。内側絶縁部材３３は、電極組立体１２のタブ側端面１２ａから蓋部材１５に向けて凹む収容凹部３４を備える。収容凹部３４は、内側絶縁部材３３の四側面のうち、電極接合部２８ａ寄りの側面にて開口している。そして、収容凹部３４に端子接合部２８ｂのほぼ全体が収容され、内側絶縁部材３３におけるタブ側端面１２ａ寄りの端面と、端子接合部２８ｂにおけるタブ側端面１２ａ寄りの端面２８ｄとが面一になっている。また、端子接合部２８ｂの一部、連繋部２８ｃ及び電極接合部２８ａが内側絶縁部材３３における端子接合部２８ｂ寄りの側面から突出している。
【００２９】
次に、ケース１１内に設けられた樹脂製の絶縁カバー３５について説明する。
【００３０】
図１及び図２に示すように、絶縁カバー３５は、正極及び負極の導電部材２８に対し、積層方向の一端側から装着されている。絶縁カバー３５は、矩形板形状のタブ絶縁部３６を備える。タブ絶縁部３６は、積層方向一端側に位置する両極のタブ群２７の先端側を積層方向の外側から覆い、両極のタブ群２７の先端側とケース部材１４とを絶縁する。
【００３１】
絶縁カバー３５は、蓋部材１５の長手方向に延びるタブ絶縁部３６の一対の長縁部のうち、蓋部材１５寄りの長縁部から積層方向他端に向けて突出した第１板部３７を備える。第１板部３７は、両極の導電部材２８の電極接合部２８ａと蓋部材１５との間に介在し、両者を絶縁する。絶縁カバー３５の第１板部３７は、両極の電極接合部２８ａに支持されている。
【００３２】
絶縁カバー３５は、蓋部材１５の長手方向に延びるタブ絶縁部３６の一対の長縁部のうち、電極組立体１２寄りの長縁部の両端部から積層方向他端に向けて突出した一対の第２板部３８を備える。一方の第２板部３８は、正極端子構造１６における端子接合部２８ｂと、タブ側端面１２ａとの間に介在し、端子接合部２８ｂの一部を電極組立体１２側から覆う。他方の第２板部３８は、負極端子構造１７における端子接合部２８ｂと、タブ側端面１２ａとの間に介在し、端子接合部２８ｂの一部を電極組立体１２側から覆う。
【００３３】
絶縁カバー３５において、タブ絶縁部３６からの第１板部３７の突出方向への寸法と、タブ絶縁部３６からの第２板部３８の突出方向への寸法は同じである。そして、絶縁カバー３５において、タブ絶縁部３６の短手方向を高さ方向とすると、絶縁カバー３５を長手方向に見た側面視では、第１板部３７の突出端の位置と第２板部３８の突出端の位置は高さ方向に揃っている。
【００３４】
絶縁カバー３５は、各第２板部３８におけるタブ絶縁部３６からの突出方向の先端（以下、突出端と記載する）に係止爪４０を備える。係止爪４０は、各第２板部３８から第１板部３７に向けて突出する。各係止爪４０は、各第２板部３８において、絶縁カバー３５の長手方向に沿った第１板部３７寄りの位置に配設されている。各係止爪４０は、第２板部３８の突出端からタブ絶縁部３６に向かうに従い第１板部３７（蓋部材１５）に近付くように上り傾斜する傾斜面４０ａを備える。
【００３５】
図３に示すように、一方の係止爪４０は、正極の導電部材２８の端子接合部２８ｂにおいて、電極組立体１２の積層方向他端に位置した端縁に係止している。他方の係止爪４０は、負極の導電部材２８の端子接合部２８ｂにおいて、電極組立体１２の積層方向他端に位置した端縁に係止している。よって、ケース１１内には、各端子接合部２８ｂの端縁と係止爪４０との係止箇所Ｋが存在している。各端子接合部２８ｂに対する係止爪４０の係止により、絶縁カバー３５が積層方向一端側に移動することが規制されている。そして、各端子接合部２８ｂにおける積層方向他端側に位置した端縁は、係止爪４０が係止する被係止部となる。
【００３６】
図２及び図５に示すように、正極及び負極の導電部材２８は、端子接合部２８ｂのうち内側絶縁部材３３によって覆われていない部位に凹部４１を備える。凹部４１は、電極組立体１２の積層方向一端側に位置した端子接合部２８ｂの縁部に位置し、凹部４１は、係止爪４０と端子接合部２８ｂの係止箇所Ｋから積層方向一端に向けて延びる延長線上に位置している。凹部４１は、絶縁カバー３５の第１板部３７を、電極接合部２８ａと蓋部材１５との間に差し込むときの係止爪４０の軌跡上に設けられている。
【００３７】
凹部４１は、端子接合部２８ｂにおける積層方向一端から積層方向他端側に向けて端子接合部２８ｂの短手方向に延びているが、端子接合部２８ｂの短手方向の中間位置までは延びていない。よって、凹部４１は、積層方向に沿った端子接合部２８ｂ（導電部材２８
）の中間位置よりも積層方向一端側に設けられている。積層方向に沿った凹部４１の寸法は、積層方向に沿った係止爪４０の寸法に対応しており、実施形態では、積層方向に沿った係止爪４０と凹部４１の寸法は略同じ又は同じである。よって、積層方向に沿って係止爪４０の全体が凹部４１内に入り込み可能になっている。
【００３８】
また、凹部４１は、端子接合部２８ｂの厚み内に設けられている。凹部４１は、端子接合部２８ｂにおける電極組立体１２寄りの端面２８ｄを凹ませて形成されている。図７に示すように、絶縁カバー３５の第１板部３７の突出端を電極接合部２８ａに載せた状態では、係止爪４０の先端が凹部４１内に入り込むようになっている。凹部４１の内側面のうち、積層方向他端に最も近い内側面を第１内側面４１ａとし、第１内側面４１ａに直交し、かつ端面２８ｄに平行な内側面を第２内側面４１ｂとする。
【００３９】
なお、第１板部３７の突出方向の先端（以下、突出端と記載する）が電極接合部２８ａに載った時点では、係止爪４０の先端は、高さ方向では、端子接合部２８ｂの端面２８ｄよりも電極組立体１２寄りにあり、係止爪４０の先端が、凹部４１の第１内側面４１ａに対向しない。このため、第１板部３７を電極接合部２８ａに支持させて絶縁カバー３５を積層方向一端側から他端側へスライド移動させたとき、係止爪４０の先端が、凹部４１の第１内側面４１ａに当接せず、端面２８ｄと第１内側面４１ａとの境界に傾斜面４０ａが接触する。
【００４０】
次に、二次電池１０の製造方法を作用とともに記載する。
【００４１】
まず、図６に示すように、蓋部材１５に、引出端子２９、端子接合部材３０、外部接続端子３１、外側絶縁部材３２、及び内側絶縁部材３３が組付けられ、正極端子構造１６及び負極端子構造１７が形成されるとともに、蓋端子組立体２０が形成される。
【００４２】
そして、正極の導電部材２８の電極接合部２８ａに対し、電極組立体１２の正極のタブ群２７が溶接によって接合され、負極の導電部材２８の電極接合部２８ａに対し、負極のタブ群２７が溶接によって接合される。すると、蓋端子組立体２０と電極組立体１２が一体化される。
【００４３】
そして、電極組立体１２の積層方向一端側から他端側に向けて絶縁カバー３５をスライド移動させ、蓋部材１５と電極接合部２８ａとの間に第１板部３７を差し込む。このとき、図７に示すように、各係止爪４０が、各極性の端子接合部２８ｂの凹部４１に入り込む。このため、蓋部材１５と電極接合部２８ａとの間に第１板部３７を差し込んだ時点で、係止爪４０が端子接合部２８ｂに接触しない。
【００４４】
蓋部材１５と電極接合部２８ａとの間に第１板部３７が差し込まれると、両方の電極接合部２８ａに第１板部３７が支持される。第１板部３７が電極接合部２８ａに支持された状態で、絶縁カバー３５を積層方向一端側から他端側に向けてスライド移動させる。そして、各係止爪４０の傾斜面４０ａが、凹部４１における第１内側面４１ａの下端に摺接しながら凹部４１を通過し、その後、係止爪４０が各極性の端子接合部２８ｂにおける積層方向他端の縁部に係止する。
【００４５】
すると、絶縁カバー３５が積層方向一端側に移動することが規制され、蓋端子組立体２０から絶縁カバー３５が抜け出ることが規制される。その結果、絶縁カバー３５の第１板部３７が、電極接合部２８ａと蓋部材１５との間に介在した状態となる。
【００４６】
そして、電極組立体１２をケース部材１４の開口部１４ａからケース部材１４内に挿入する。電極組立体１２がケース部材１４内に挿入された後、蓋部材１５をケース部材１４
の開口端に接合すると、二次電池１０が組み立てられる。
【００４７】
上記実施形態によれば、以下のような効果を得ることができる。
【００４８】
（１）各導電部材２８に凹部４１を設けた。このため、電極接合部２８ａと蓋部材１５との間に第１板部３７を差し込むとき、各極性の端子接合部２８ｂの凹部４１に係止爪４０が入り込む。このため、電極接合部２８ａと蓋部材１５との間に第１板部３７が入り込み、支持されるまでの間、各係止爪４０が端子接合部２８ｂに干渉しない。よって、係止爪４０と端子接合部２８ｂとの干渉を回避するために絶縁カバー３５を傾ける必要がなく、絶縁カバー３５を傾けることで、電極接合部２８ａと蓋部材１５との間に第１板部３７を差し込むことができなくなることもない。その結果、絶縁カバー３５を傾けることなく蓋端子組立体２０に向けて移動させるだけで、絶縁カバー３５を蓋端子組立体２０に装着できる。
【００４９】
（２）凹部４１が端子接合部２８ｂの短手方向全体に亘って形成されていれば、係止爪４０と端子接合部２８ｂとの干渉を無くすことができるが、凹部４１が大きいほど、端子接合部２８ｂを切削する量が多くなるため、導電部材２８における電気的な抵抗が増加して好ましくない。そこで、凹部４１を、積層方向に沿った端子接合部２８ｂの中間位置よりも一端側のみに形成することで、端子接合部２８ｂの電気的な抵抗増加を抑えながら、係止爪４０と端子接合部２８ｂとの干渉を無くすことができる。
【００５０】
（３）係止爪４０に傾斜面４０ａを形成した。このため、絶縁カバー３５を蓋端子組立体２０に装着する際、係止爪４０の先端が凹部４１の第１内側面４１ａに面接触することを回避でき、絶縁カバー３５のスライド移動が止まることを回避できる。
【００５１】
（４）係止爪４０に傾斜面４０ａを形成した。このため、第１板部３７が電極接合部２８ａと蓋部材１５との間に入り込んだ後、傾斜面４０ａが端子接合部２８ｂに摺接する。傾斜面４０ａにより、第２板部３８を徐々に撓ませることができ、第２板部３８が損傷することを抑制できる。
【００５２】
（５）第１板部３７が電極接合部２８ａに載った時点での第１板部３７の突出端の位置よりも、積層方向他端側（絶縁カバー３５のスライド移動先）に凹部４１が位置するようにした。このため、第１板部３７が電極接合部２８ａに載った時点で、係止爪４０を凹部４１内に位置させ、係止爪４０が端子接合部２８ｂに干渉することを回避できる。
【００５３】
なお、上記実施形態は以下のように変更してもよい。
【００５４】
○  図８に示すように、凹部４１は、積層方向一端側から他端側に向かうに従い下り傾斜する形状であってもよい。この場合、係止爪４０は傾斜面４０ａを有していてもよいし、有していなくてもよい。
【００５５】
このように構成した場合、絶縁カバー３５を蓋端子組立体２０に装着する際、凹部４１の内側面として、絶縁カバー３５をスライド移動する方向に直交した面が無くなり、絶縁カバー３５のスライド移動が止まることを回避できる。そして、係止爪４０が傾斜面４０ａを備える場合は、凹部４１の内側面と、係止爪４０の傾斜面４０ａとの摺接により、絶縁カバー３５をスムーズにスライド移動させることができる。
【００５６】
○  係止爪４０は、傾斜面４０ａを備えなくてもよい。
【００５７】
○  図９に示すように、凹部４１を内側絶縁部材３３に形成してもよい。又は図示しな
いが、凹部４１を内側絶縁部材３３と端子接合部２８ｂに連続して形成してもよい。この場合、係止爪４０の位置を、絶縁カバー３５の長手方向の端寄りとする。そして、内側絶縁部材３３における積層方向他端側の位置に係止爪４０が係止し、内側絶縁部材３３に被係止部が形成される。
【００５８】
○  凹部４１を連繋部２８ｃに係止させてもよい。
【００５９】
○  絶縁カバー３５において、タブ絶縁部３６からの第１板部３７の突出方向へ寸法は、タブ絶縁部３６からの第２板部３８の突出方向への寸法より短くてもよい。この場合、蓋部材１５と電極接合部２８ａの間に第１板部３７を差し込み、第１板部３７が電極接合部２８ａに到達するまでは係止爪４０が凹部４１に接触しないように凹部４１を形成する。
【００６０】
○  正極電極２１及び負極電極２２は、金属箔の片面に活物質層が存在する構造でもよい。
【００６１】
○  蓄電装置は、例えばキャパシタなど、二次電池以外の蓄電装置にも適用可能である。
【００６２】
○  二次電池１０は、リチウムイオン二次電池以外の他の二次電池であってもよい。要は、正極用の活物質と負極用の活物質との間をイオンが移動するとともに電荷の享受を行うものであればよい。
【００６３】
○  二次電池１０は、電極組立体１２の積層方向一端側に配置される絶縁カバー３５だけでなく、電極組立体１２の積層方向他端側に配置される絶縁カバーを備えていてもよい。
【００６４】
次に、上記実施形態及び別例から把握できる技術的思想を以下に追記する。
【００６５】
（１）前記凹部は前記導電部材の厚み内に設けられている蓄電装置。
【００６６】
（２）前記蓄電装置は二次電池である蓄電装置。
【符号の説明】
【００６７】
Ｋ…係止箇所、１０…蓄電装置としての二次電池、１１…ケース、１２…電極組立体、１２ａ…タブ側端面、１４…ケース部材、１４ａ…開口部、１５…蓋部材、２１…正極電極、２２…負極電極、２５，２６…タブ、２７…タブ群、２８…導電部材、２８ａ…電極接合部、２８ｂ…被係止部としての端子接合部、２９…電極端子としての引出端子、３３…絶縁部材としての内側絶縁部材、３５…絶縁カバー、３６…タブ絶縁部、３７…第１板部、３８…第２板部、４０…係止爪、４０ａ…傾斜面、４１…凹部。
【図１】
2019121434.tif 000003
【図２】
2019121434.tif 000004
【図３】
2019121434.tif 000005
【図４】
2019121434.tif 000006
【図５】
2019121434.tif 000007
【図６】
2019121434.tif 000008
【図７】
2019121434.tif 000009
【図８】
2019121434.tif 000010
【図９】
2019121434.tif 000011